(57)【特許請求の範囲】
【請求項１】
外枠(1)とこれに内装されるトレー(2)とから成り、前記外枠(1)は、コーナー部を介して隣り合う各一対の側壁(11)及び端壁(12,13)を備え、底面が開口したものとし、前記トレー(2)は、コーナー部を介して隣り合う各一対の側壁(21)及び端壁(22,23)並びに底壁(29)を備え、天面が開口したものとし、外枠(1)の側壁(11)の下端に連設した折上片(15)を内側上方へ折り曲げ、トレー(2)の側壁(21)の上端に連設した折下片(27)を外側下方へ折り曲げ、折上片(15)と折下片(27)とを噛み合わせ、外枠(1)の端壁(12)を開くと、外枠(1)からトレー(2)を引き出せるようにした包装展示兼用箱。
【請求項２】
前記外枠(1)にトレー(2)を内装した状態で、外枠(1)の天面を開き、トレー(2)の底壁(29)を形成する底板(25,26)を上方へ折り曲げて、扁平に折り畳めるようにしたことを特徴とする請求項１に記載の包装展示兼用箱。
【請求項３】
前記外枠(1)の折上片(15)及びトレー(2)の側壁(21)の上端を、正面側が低くなるように傾斜させ、外枠(1)からトレー(2)を引き出すと、折上片(15)と折下片(27)とが、前後方向にスライド移動しながら離間して、これらの噛み合いが外れるようにしたことを特徴とする請求項１又は２に記載の包装展示兼用箱。
【発明の詳細な説明】
【技術分野】
【０００１】
この発明は、商品の輸送及び店頭での展示に兼用できる箱に関するものである。
【背景技術】
【０００２】
従来、この種の包装展示兼用箱として、下記特許文献１には、図１１に示すように、正面側が低くなったトレー５１と、これに被せるカバー５２とから成り、トレー５１に商品を載せ、トレー５１とカバー５２とを、トレー５１の側壁５３に設けた指穴５４の両側方に位置する接着部５５で貼り合わせて商品を包装するものが記載されている。
【０００３】
この箱を小売店へ配送し、店頭で商品を展示する際には、指穴５４に指を掛けて、カバー５２を引き上げることにより、接着部５５の接着を剥がし、トレー５１に商品を載せたまま、トレー５１からカバー５２を除去して、図１２に示すように、トレー５１を天面から正面にかけて開放し、商品を買物客から見えやすいようにして展示する。
【先行技術文献】
【特許文献】
【０００４】
【特許文献１】特表２００９−５３３２８６号公報
【発明の概要】
【発明が解決しようとする課題】
【０００５】
しかしながら、上記包装展示兼用箱では、輸送時に側壁５３が押されたりすると、接着部５５の接着が不意に剥がれ、トレー５１とカバー５２とが分離してしまうおそれがある一方、この接着をあまり強力にすると、展示作業時に接着を剥がすことが難しくなる。
【０００６】
そこで、この発明は、輸送時の包装状態を確実に維持しつつ、店頭での展示作業を簡単に行なうことができるようにすることを課題とする。
【課題を解決するための手段】
【０００７】
上記課題を解決するため、この発明に係る包装展示兼用箱は、外枠とこれに内装されるトレーとから成り、前記外枠は、コーナー部を介して隣り合う各一対の側壁及び端壁を備え、底面が開口したものとし、前記トレーは、コーナー部を介して隣り合う各一対の側壁及び端壁並びに底壁を備え、天面が開口したものとし、外枠の側壁の下端に連設した折上片を内側上方へ折り曲げ、トレーの側壁の上端に連設した折下片を外側下方へ折り曲げ、折上片と折下片とを噛み合わせ、外枠の端壁を開くと、外枠からトレーを引き出せるようにしたのである。
【０００８】
また、前記外枠にトレーを内装した状態で、外枠の天面を開き、トレーの底壁を形成する底板を上方へ折り曲げて、扁平に折り畳めるようにしたのである。
【０００９】
さらに、前記外枠の折上片及びトレーの側壁の上端を、正面側が低くなるように傾斜させ、外枠からトレーを引き出すと、折上片と折下片とが、前後方向にスライド移動しながら離間して、これらの噛み合いが外れるようにしたのである。
【発明の効果】
【００１０】
この包装展示兼用箱では、外枠の折上片とトレーの折下片とが噛み合っているので、外枠の底面が開口していても、トレーが外枠の底面から抜け落ちることがなく、包装状態が確実に維持される。
【００１１】
また、店頭では、外枠の端壁を開いて、外枠からトレーを引き出すだけで、トレーに収納した商品を簡単に展示することができる。
【図面の簡単な説明】
【００１２】
【図１】この発明の実施形態に係る包装展示兼用箱の包装状態を示す斜視図
【図２】同上のII−II線に沿った断面図
【図３】同上の外枠及びトレーのブランクを示す図
【図４】同上の外枠及びトレーの組立状態を示す分解斜視図
【図５】同上の外枠にトレーを内装した状態を示す斜視図
【図６】同上の折畳状態を示す斜視図
【図７】同上の折畳状態を示す平面図
【図８】同上の組み立てた外枠の開放過程を示す斜視図
【図９】同上のトレーの引き出し過程を示す斜視図
【図１０】同上の引き出したトレーを示す斜視図
【図１１】従来の包装展示兼用箱の包装状態を示す斜視図
【図１２】同上のカバーを外したトレーを示す斜視図
【発明を実施するための形態】
【００１３】
以下、この発明の実施形態を添付図面に基づいて説明する。
【００１４】
この包装展示兼用箱は、図１及び図２に示すように、段ボール製の外枠１と、これに内装される板紙製のトレー２とから成る。
【００１５】
図３に示すように、外枠１のブランクでは、一対の側壁１１が正面となる端壁１２を介して連設され、一方の側壁１１の外端に背面となる端壁１３が、他方の側壁１１の外端に継代片１４がそれぞれ連設されている。
【００１６】
各側壁１１の下端には折上片１５が連設され、折上片１５の先端縁は、上方への折曲時に正面側が低くなるように傾斜している。端壁１２，１３の上端には蓋板１６が、側壁１１の上端には蓋板１７がそれぞれ連設されている。
【００１７】
端壁１２の両側には、下端の側壁１１との境界から少し内側へ離れた位置から上方へかけて斜めに外側へ向かい、側壁１１との境界に沿って上端へ至るジッパ型の切目線１８が入れられている。
【００１８】
トレー２のブランクでは、一対の側壁２１が正面となる端壁２２を介して連設され、一方の側壁２１の外端に後側となる端壁２３が、他方の側壁２１の外端に継代片２４がそれぞれ連設されている。側壁２１は、正面側が低くなるように上端が傾斜し、端壁２２は端壁２３よりも高さが低くなっている。
【００１９】
各側壁２１の下端には底板２５が、端壁２２，２３の下端には底板２６がそれぞれ連設され、これらによりワンタッチ式の組立底が形成される。そして、各側壁２１の傾斜した上端には折下片２７が、端壁２２の上端には重合板２８がそれぞれ連設されている。
【００２０】
上記のようなブランクを包装展示兼用箱とするため、図４に示すように、外枠１を組み立てるには、一対の側壁１１及び端壁１２，１３を角筒状に折り曲げ、継代片１４を端壁１３の内面に貼り付け、折上片１５を内側上方へ折り曲げる。
【００２１】
また、トレー２を組み立てるには、一対の側壁２１及び端壁２２，２３を角筒状に折り曲げ、継代片２４を端壁２３の内面に貼り付け、２組の底板２５，２６を内側へ折り曲げて１組ずつ貼り合わせ、底壁２９を形成する。また、折下片２７を外側下方へ折り曲げ、重合板２８を内側下方へ折り曲げて端壁２２の裏面に貼り付ける。
【００２２】
そして、外枠１の底面の開口からトレー２を押し上げるようにして、外枠１の内側にトレー２を挿入し、トレー２を少し下降させると、図５に示すように、反発で外側へ広がろうとする折下片２７と側壁２１との間に折上片１５が挟まれ、折上片１５の上端が側壁２１と折下片２７の稜部下面に沿うように、折上片１５と折下片２７とが噛み合う。
【００２３】
上記のような箱は、図６及び図７に示すように、外枠１の内側にトレー２を内装したまま、蓋板１６，１７を開いた状態で、底板２５，２６を上方へ折り曲げて、扁平に折り畳むことができ、嵩張らない状態で箱を使用する業者へ効率よく輸送することができる。
【００２４】
そして、業者が商品を箱詰めする際には、図５に示すように、外枠１とトレー２とを組み立てて、トレー２の底壁２９を水平状態とし、蓋板１６，１７が開いた外枠１の天面から商品をトレー２に収納する。
【００２５】
このように、上記のような箱では、外枠１とトレー２とを同時にワンタッチで組み立てて、商品を箱詰めすることができるので、包装作業の省力化を図ることができる。
【００２６】
その後、図１及び図２に示すように、蓋板１６，１７を開じて、接着剤や粘着テープで封緘することにより、外枠１に天壁１９を形成する。
【００２７】
この包装状態では、外枠１の折上片１５とトレー２の折下片２７とが噛み合っているので、外枠１の底面が開口していても、持ち運び時に、商品の荷重を受架するトレー２が外枠１の底面から抜け落ちることがなく、包装状態が確実に維持され、外枠１とトレー２とを接着剤や粘着テープで固定する必要がない。
【００２８】
一方、このように商品を包装した箱を小売店へ配送し、店頭で商品を展示する際には、箱を床や展示台に置いた状態で、図８に示すように、端壁１２の先端中央の凹部に指を掛けて、端壁１２を引っ張り、切目線１８を切断して、端壁１２を引き上げることにより、外枠１の正面を開口させる。
【００２９】
この状態で、図９に示すように、トレー２を手前に引っ張ると、外枠１の側壁１１に繋がって三角状に残存した端壁１２の両側下部が開かれて、トレー２が外枠１から前方に引き出される。
【００３０】
このとき、トレー２の側壁２１及び外枠１の折上片１５の上端が正面側へかけて低くなっているので、折上片１５と折下片２７とが、前後方向にスライド移動しながら離間して、これらの噛み合いが外れ、トレー２を外枠１から引っ掛かることなく、スムーズに引き出すことができる。
【００３１】
そして、図１０に示すように、トレー２を完全に引き出すと、天面から正面にかけて開放されたトレー２により、商品を買物客から見えやすいように展示することができる。また、視覚的にアクセントとなる折下片２７に商品のキャッチコピー等を印刷して、訴求効果を高めることもできる。
【００３２】
なお、上記実施形態では、外枠１の天面を天壁１９で完全に閉じるものを例示したが、通気性を要する農産物等、包装する商品によっては、外枠１の天壁１９に開口部を設けるようにしてもよい。また、天壁１９を外枠１とは別体の蓋としてもよい。
【００３３】
また、端壁１２を切目線１８の切断に伴い開くようにしたが、一対の側壁１１から延びる端壁１２の先端同士を係合片等の手段で係合させておき、その係合を解除して端壁１２を開き、外枠１からトレー２を引き出すようにしてもよい。
【００３４】
さらに、外枠１の外周が四角筒状となったものを例示したが、側壁１１と端壁１２，１３とがなすコーナー部に面取り部分を設けてもよい。この場合、端壁１２は、側壁１１との間に介在するコーナー部と共に開くようにすればよい。
【符号の説明】
【００３５】
１  外枠
１１  側壁
１２，１３  端壁
１４  継代片
１５  折上片
１６，１７  蓋板
１８  切目線
１９  天壁
２  トレー
２１  側壁
２２，２３  端壁
２４  継代片
２５，２６  底板
２７  折下片
２８  重合板
２９  底壁
【図１】
0005537294.tif 000002
【図２】
0005537294.tif 000003
【図３】
0005537294.tif 000004
【図４】
0005537294.tif 000005
【図５】
0005537294.tif 000006
【図６】
0005537294.tif 000007
【図７】
0005537294.tif 000008
【図８】
0005537294.tif 000009
【図９】
0005537294.tif 000010
【図１０】
0005537294.tif 000011
【図１１】
0005537294.tif 000012
【図１２】
0005537294.tif 000013